(57)【要約】【課題】床面等を傷つけることもなく、容易に取り付けることが可能な自動販売機の転倒防止具を提供することを課題とする。【解決手段】自動販売機の本体キャビネットの底部に螺合されるボルト本体５と該ボルト本体５の下端に連設された台座６と前記ボルト本体５に移動自在に螺合される締め付け具７を具備するレベルボルト２と、前記台座６の径寸法と同等以上の幅寸法を有する長板状の上板８と該上板８の長手方向に沿った両端に下側に向けて連設した前記台座６の高さ寸法と同等程度の高さ寸法を有する左右側板９と前記上板８の一端側から所定長だけ長手方向に向けて形成した前記ボルト本体５が嵌挿可能な幅寸法を有するスライド溝１０とを有する防止具本体３と、防止具本体３における自動販売機より前方に突出する部分を覆い隠すカバー４と、を備えた。【選択図】図１
2007272569.tif 000002
【特許請求の範囲】
【請求項１】
自動販売機の本体キャビネットの底部に螺合されるボルト本体（５）と、該ボルト本体（５）の下端に連設された台座（６）と、前記ボルト本体（５）に移動自在に装着される締め付け具（７）と、を具備するレベルボルト（２）と、
前記台座（６）の径寸法と同等以上の幅寸法を有する長板状の上板（８）と、該上板（８）の長手方向に沿った両端に下側に向けて連設した左右側板（９）と、前記上板（８）の一端側から所定長だけ長手方向に向けて形成した、前記ボルト本体（５）が嵌挿可能な幅寸法を有するスライド溝（１０）と、を有する防止具本体（３）と、を具備したことを特徴とする自動販売機の転倒防止具。
【請求項２】
前記防止具本体（３）を自動販売機の本体キャビネットに係止した際に自動販売機より前方に突出する部分を覆い隠すカバー（４）を備えたことを特徴とする請求項１に記載の自動販売機の転倒防止具。
【請求項３】
前記カバー（４）の表面に広告等を表示したことを特徴とする請求項２に記載の自動販売機の転倒防止具。
【請求項４】
前記カバー（４）を透明又は半透明に形成して、カバー（４）の下側に配置した商品広告等をカバー（４）の外側から目視可能にしたことを特徴とする請求項２に記載の自動販売機の転倒防止具。
【請求項５】
前記左右側板（９）を、前記台座（６）を嵌挿可能なプレート側スライド溝（１７）を有する基台プレート（１６）における前記プレート側スライド溝（１７）の両側に連設したことを特徴とする請求項１乃至請求項４のいずれかに自動販売機の転倒防止具。
【請求項６】
前記台座（６）は、床面等に当接する台座本体部（６０１）と、該台座本体部（６０１）の上部に配置されるスペーサ部（６０２）と、を具備することを特徴とする請求項１乃至請求項５のいずれかに記載の自動販売機の転倒防止具。
【請求項７】
前記スペーサ部（６０２）を着脱自在にしたことを特徴とする請求項６に記載の自動販売機の転倒防止具。
【発明の詳細な説明】
【技術分野】
【０００１】
本発明は自動販売機の転倒防止具に係り、より詳しくは、自動販売機や床面等に固着することなく、容易に装備することを可能とした自動販売機の転倒防止具に関する。
【背景技術】
【０００２】
従来から、自動販売機の転倒を防止するための転倒防止具としては、自動販売機の本体キャビネットに取り付けるとともに床面等にも取り付け、これにより自動販売機の本体キャビネットを床面等に固定するものが大部分であった。
【０００３】
またその他、ボルト等で床面等に固定されるとともに、その上に自動販売機の本体キャビネットが移動不可能に係止される転倒防止具も提供されている。
【０００４】
更にその他、全体を長尺状のものに形成して、その上に自動販売機の本体キャビネットを移動不可能に載置する形態のものも提案されている。
【特許文献１】特開２００５−９９９２４号公報
【特許文献２】特開２００１−２７２０７号公報
【特許文献３】特開平１１−１５４２６４号公報
【特許文献４】特開平８−１６１６１６号公報
【特許文献５】特開平８−１３８１３０号公報
【特許文献６】特開平８−９６２３６号公報
【特許文献７】特開平７−３０６９８０号公報
【特許文献８】特開平７−２７２０９１号公報
【特許文献９】特開平６−１８７５５４号公報
【発明の開示】
【発明が解決しようとする課題】
【０００５】
しかしながら、まず、自動販売機に固定する形態のものでは取り付け作業が大変であり、特に、既に設置してある自動販売機に装着する場合の作業は相当な労力を必要とする。
【０００６】
また、ボルト等で床面等に固定する転倒防止具では、屋内等の床面を傷つけることができない場所においては不向きである。
【０００７】
この点、自動販売機の本体キャビネットを載置する形態のものでは、床面等を傷つけることもなく、また自動販売機に取り付ける必要もないために前述したような問題点は回避できるが、その一方、このような、自動販売機の本体キャビネットを載置する形態のものでは、自動販売機の本体キャビネットを載置する際の位置合わせが大変である。即ち、この形態の転倒防止具を装着する場合には、転倒防止具上に自動販売機の本体キャビネットの底部に取り付けられたレベルボルトを載置する必要があるが、そのためには、まず本体キャビネットを吊り上げた後に、レベルボルトが設置される箇所に転倒防止具を置かなければならず、この位置合わせが大変な作業になる。また、このような形態の転倒防止具では、特に床面が傾斜し、あるいは床面に凹凸等のある場合には、本体キャビネットを載置した後に本体キャビネットの水平を取らなければならないため、その作業も大変である。
【０００８】
そこで、本発明は、床面等を傷つけることもなく、容易に取り付けることが可能な自動販売機の転倒防止具を提供することを課題としている。
【課題を解決するための手段】
【０００９】
本発明の自動販売機の転倒防止具は、自動販売機の本体キャビネットの底部に螺合されるボルト本体と、該ボルト本体の下端に連設された台座と、前記ボルト本体に移動自在に装着される締め付け具と、を具備するレベルボルトと、
前記台座の径寸法と同等以上の幅寸法を有する長板状の上板と、該上板の長手方向に沿った両端に下側に向けて連設した左右側板と、前記上板の一端側から所定長だけ長手方向に向けて形成した、前記ボルト本体が嵌挿可能な幅寸法を有するスライド溝と、を有する防止具本体と、を具備したことを特徴としている。
【発明の効果】
【００１０】
本発明の自動販売機の転倒防止具を装着する場合には、自動販売機の本体キャビネットの底部四隅にレベルボルトを螺合するとともにその螺合割合を調節して本体キャビネットの水平を取る。
【００１１】
そしてその後、レベルボルトの台座が防止具本体における上板と床面との間に嵌挿しつつ前記ボルト本体を上板がスライド溝に嵌挿する形態で、前記防止具本体を自動販売機の下側に進入させる。そして、所定長だけ防止具本体を自動販売機の下側に進入させた後に、締め付け具を締め付けることで防止具本体をレベルボルトに係止する。そうすると、レベルボルトを介して前記防止具本体を自動販売機に係止することができるとともに、防止具本体におけるスライド溝を形成していない部分が自動販売機の前方に突出して、この突出した部分によって自動販売機の前方への転倒を防止することができる。
【００１２】
このように、本発明の自動販売機の転倒防止具では、自動販売機の本体キャビネットの底部四隅にレベルボルトを螺合するとともにその螺合割合を張設して本体キャビネットの水平を取った後に防止具本体を自動販売機の下側に進入させて締め付け具を締め付けるのみで装備することができるため、床面等を傷つけることもなく、また防止具本体の位置あわせをする必要もなく、更に取り付けた後に自動販売機の水平を取る必要もないために、容易に自動販売機に取り付けることが可能である。
【発明を実施するための最良の形態】
【００１３】
本発明の自動販売機の転倒防止具では、自動販売機の本体キャビネットの底部の四隅にそれぞれ取り付けられるレベルボルトを有しており、このレベルボルトは、本体キャビネットの底部に螺合されるボルト本体と、このボルト本体の下端に連設された台座と、前記ボルト本体に移動自在に装着された締め付け具とで構成されている。
【００１４】
また、本発明の自動販売機の転倒防止具では、前記レベルボルトに係止される防止具本体を有しており、この防止具本体は、長板状の上板と、この上板の長手方向に沿った両端に下側に向けて連設された左右側板とで構成され、上板は、レベルボルトにおける台座の径寸法と同等以上の幅寸法を有している。
【００１５】
更に、上板には、その一端側から、長手方向に向けて所定長だけ、スライド溝が形成されており、このスライド溝の幅寸法は、前記レベルボルトにおけるボルト本体が嵌挿可能な寸法としている。
【００１６】
ここで、防止具本体を自動販売機の本体キャビネットに係止した際に自動販売機より前方に突出する部分を覆い隠すカバーを更に備えるとよく、これにより、防止具本体における自動販売機より前方に突出した部分によって商品購入者等がつまずくことを有効に防止できる。
【００１７】
またこのとき、前記カバーの表面に広告等を表示し、あるいは、カバーを透明又は半透明に形成してカバーの下側に配置した商品広告等をカバーの外側から目視可能にするとよく、これにより危険防止の効果とともに商品広告等の効果をカバーに持たせることが可能である。
【００１８】
更に、前記左右側板を、前記台座を嵌挿可能なプレート側スライド溝を有する基台プレートにおける前記プレート側スライド溝の両側に連設してもよく、これにより、左右側板及び上板を自動販売機の本体キャビネットにおける前後方向の寸法より長くする必要がなくなる。
【００１９】
更にまた、前記台座を、床面等に当接する台座本体部と、この台座本体部の上部に配置したスペーサ部とで構成するとともに、スペーサ部を着脱自在にしてもよく、これによれば、自動販売機の本体キャビネットに取り付けられている既存のレベルボルトに容易に防止具本体を係止することも可能となる。
【実施例１】
【００２０】
本発明の自動販売機の転倒防止具（以下単に「転倒防止具」という。）の実施例について図面を参照して説明すると、図１は本実施例の転倒防止具の斜視図であり、また、図２は図１におけるＡ−Ａ線断面構造を示す図であり、図において１が本実施例の転倒防止具、また図２においてＶは自動販売機の本体キャビネットである。
【００２１】
そして、本実施例の転倒防止具１は、自動販売機における本体キャビネットの底部四隅にそれぞれ螺合される４個のレベルボルト２と、このレベルボルト２に係止されて自動販売機の転倒を防止するための防止具本体３と、防止具本体３の前方部分を覆い隠して商品購入者等の事故等を未然に防止するためのカバー４とで構成されている。
【００２２】
ここで、前記レベルボルト２について説明すると、図３は前記本実施例におけるレベルボルト２の正面図であり、本実施例において前記レベルボルト２はそれぞれ、その表面にねじ切りがされたボルト本体５を有しており、このボルト本体５は、自動販売機における本体キャビネットの底部四隅にそれぞれ螺合されることとしている。
【００２３】
即ち、一般的に自動販売機の本体キャビネットの底部四隅には脚部としてのレベルボルトが螺合されているが、本実施例における前記レベルボルトは、この自動販売機の本体キャビネットに備えられている既存のレベルボルトに代わるものとして使用される。
【００２４】
また、前記ボルト本体５の下端には床面に当接する台座６が連設され、本実施例においてこの台座６は、最下端に位置して床面に当接する台座本体６０１と、この台座本体部６０１の上部に配置されるスペーサ部６０２と、スペーサ部６０２の上部に配置される座金部６０３とを一体にして構成されている。
【００２５】
更に、前記ボルト本体５には、締め付け具としての締め付けナット７が螺合されており、この締め付けナット７は、ボルト本体５の長手方向へ移動自在とされている。
【００２６】
そして、この構成で、前記ボルト本体５を自動販売機における本体キャビネットの底部四隅に螺合するとともに、ボルト本体５の螺合割合を調節することにより、自動販売機の水平を取ることが可能となる。
【００２７】
次に、前記防止具本体３について説明すると、図４は、前記防止具本体３の斜視図である。そして、本実施例における前記防止具本体３は、全体を金属で一体に形成しており、長板状とした上板８と、この上板８の長手方向に沿った両端部に下側に向けて連設した左右の側板９とで構成されており、全体として溝型鋼形状としている。
【００２８】
そして、前記上板８の幅寸法は、前記台座６の径寸法と同等以上とし、また、前記左右側板９の高さ寸法は、前記台座６の高さ寸法と同等程度の寸法としており、これにより、前記上板８と左右側板９とで囲まれる空間内に前記台座６が嵌挿可能としている。
【００２９】
次に、前記上板８には、その一端から、長手方向に向けて、所定長だけスライド溝１０を形成している。そして、このスライド溝１０は、前記上板８の一端側で開放とされるとともにその最奥部は閉じられており、幅寸法は、前記ボルト本体５の径寸法と同等程度にしている。そしてこれにより、前記上板８と左右側板９とで囲まれる空間内に前記台座６を嵌挿しつつ、スライド溝１０内にボルト本体５を嵌挿することを可能にしている。
【００３０】
この防止具本体３とレベルボルト２との関係を示した図が図６であり、図６において、スライド溝１０内にボルト本体５を嵌挿することにより、前記上板８と左右側板９とで囲まれる空間内に前記台座６が嵌挿され、この状態で締め付けナット７を締め付けることにより、レベルボルト２に防止具本体３を係止することが可能となる。
【００３１】
なお、一般的に自動販売機の寸法は様々であるが、本実施例の転倒防止具１における前記防止具本体３では、全体の長さ寸法を１２００ミリメートル、全体の高さ寸法を４０ミリメートル、上板８の幅寸法を９７ミリメートルとし、一方、前記ボルト本体５の径寸法はスライド溝１０に嵌挿可能な寸法にし、前記台座６の径寸法及び高さ寸法は、台座６が、前記上板８と左右側板９とで囲まれる空間内に嵌挿可能な寸法としている。
【００３２】
また、前記スライド溝１０の長さ寸法は、防止具本体３の長さ寸法の半分の６００ミリメートルとしており、これにより、防止具本体３をレベルボルト２に係止した際には防止具本体３におけるスライド溝１０を形成していない部分が自動販売機の前方側に突出し、この突出した部分によって自動販売機の前方への転倒を防止可能としている。
【００３３】
但し、これらの寸法は特に限定されるものではなく、防止具本体３を取り付ける自動販売機の本体キャビネットの寸法に対応して適宜変更される。
【００３４】
なお、前述の説明では、締め付け具として締め付けナット７を用いた場合を説明したが、締め付け具としては必ずしも締め付けナットを用いる必要はなく、スライド溝１０内にボルト本体５を嵌挿した状態で防止具本体３をレベルボルト２に係止可能な手段であればいずれでもよく、例えば図９に示すようなバンド類や、クランプ等を用いてもよい。
【００３５】
また、図４においては、上板８の長手方向に沿った両端部の全域に左右の側板９を連設した形態を示しているが、左右の側板９は、必ずしも上板８の長手方向に沿った両端部の全域に連設する必要はなく、一部にのみ連設してもよい。従って、例えば、上板８の長手方向に向いた前後端部及び中央部等にのみ左右の側板９を連設してもよい。
【００３６】
次に、前記カバー４について説明すると、図５は本実施例におけるカバー４を背面側から示した斜視図であり、本実施例において前記カバー４は、前記防止具本体３における自動販売機の前方側に突出した部分を覆い隠すことが可能な寸法とした上部カバー１１と、この上部カバー１１の正面側の端部全域に下側に向けて連設した正面カバー１２と、前記上部カバー１１の左右側端部全域に下側に向けて連設した側部カバー１３とで構成されており、全体を樹脂により形成している。但し、必ずしもこの構成にする必要はなく、前記防止具本体３における自動販売機の前方側に突出した部分を覆い隠すことが可能な形状であればいずれの形状でもよく、また、材質に関しても必ずしも樹脂に限定はされず、その他、木製、金属製等、いずれの材質を用いてもよい。更に、必ずしもカバー４を備える必要もない。
【００３７】
なお、図５において１４は、商品広告を表示した部分である。即ち、本実施例における前記カバー４では、上部カバー１１に商品広告を表示してなり、これにより、カバー４に、商品購入者等の事故等を未然防止する機能とともに商品広告手段としての機能を持たせている。
【００３８】
但し、必ずしも上部カバー１１に商品広告を表示する必要はなく、これを備えなくてもよい。また、その他、カバー４の全体、あるいは上部カバー１１、正面カバー１２、側部カバー１３のいずれかを透明又は半透明にするとともに、カバー４の内側に電飾看板等を配置し、これによりカバー４自体に電飾看板としての機能を持たせてもよい。
【００３９】
また、図５において４０１は、上部カバー１１における基端部に上方へ向けて連設した縁部であり、この縁部４０１は、小銭等を落とした際にそれが自動販売機の下側に入ってしまうことを防止する役目をしているが、必ずしも必要なものではない。
【００４０】
次に、本実施例の転倒防止具１の装着方法について図７及び図８を参照して説明すると、図７及び図８においてＶは自動販売機の本体キャビネットであり、側面側を示している。そして、本実施例の転倒防止具１を装着する場合には、まず、本体キャビネットＶの底部四隅に装着されている既存のレベルボルトを本実施例における前記レベルボルト２に取り替えて、その後、本体キャビネットＶを床面等に載置した後に、レベルボルト２におけるボルト本体５の本体キャビネットＶに対する螺合割合を調節して、本体キャビネットＶの水平を取る。
【００４１】
次に、ボルト本体５がスライド溝１０に嵌挿されるような配置で、防止具本体３を本体キャビネットＶの下側に進入させていき、４本のボルト本体５がスライド溝１０に十分に嵌挿されまで防止具本体３を進入した段階で、締め付けナット７を締め付け、これによりレベルボルト２に防止具本体３を係止する。
【００４２】
そして、次に、防止具本体３における本体キャビネットＶの前方側に突出している部分をカバー４で覆い隠し、これにより装着が終了する。この装着が終了した状態を示した図が図８である。
【００４３】
このように、本実施例の転倒防止具１では、本体キャビネットＶの底部四隅に装着されている既存のレベルボルトを本実施例における前記レベルボルト２に取り替え、その後は防止具本体３を本体キャビネットＶの下側に進入させるとともに締め付けナット７を締め付け、更にカバー４を被せるのみで良いので、極めて容易に装備することができる。
【００４４】
そして、このとき、本実施例の転倒防止具１では、本体キャビネットや床面に固定する形態でもなく、また本体キャビネットＶを載置する形態でもなく、防止具本体を本体キャビネットに係止する形態としているために、床面等を傷つけることもなく、また、装備した後に水平取りや位置合わせをする必要がないという利点がある。
【００４５】
なお、前述の実施例においては、最下端に位置して床面に当接する台座本体部６０１と、この台座本体部６０１の上部に配置されるスペーサ部６０２と、このスペーサ部６０２の上部に配置される座金部６０３とを一体に構成した台座６を用いた場合を説明したが、その他、スペーサ６０２及び座金６０２を着脱自在にするか、あるいはスペーサ６０２を着脱自在にするとともに座金を備えない台座６としてもよく、これによれば、自動販売機の本体キャビネットに備え付けられている既存のレベルボルトを用いて本発明におけるレベルボルトにすることができ、それにより、自動販売機の本体キャビネットのレベルボルトを取り替える必要が無くなる。
【００４６】
即ち、図１０はこの関係を示した図であり、図において１８は、自動販売機の本体キャビネットに螺合されている既存のレベルボルトである。そして、この既存のレベルボルト１８を用いる場合は、図において矢印で示すように、自動販売機の本体キャビネットに既に螺合されているレベルボルト１８の台座１８０１の上方にスペーサ６０２を嵌挿し、その後に、防止具本体３を、台座１８０１及びスペーサ６０２が前記上板８と左右側板９とで囲まれる空間内に嵌挿されつつスライド溝１０内にレベルボルト１８が嵌挿されるように、自動販売機の本体キャビネットの下側に進入させ、更にその後に締め付け具７を締め付けるとよい。そうすると、レベルボルトを取り替えることなく防止具本体３を係止することが可能となり、既に設置されている自動販売機の場合でも容易に防止具本体３を係止することができる。この状態を示したレベルボルト１８、台座１８０１、係止具本体３及びスペーサ６０２の関係を示した図が図１１である。
【００４７】
なお、スペーサ６０２の形態は特に限定されず、台座１８０１の上方に着脱自在に装着可能なものであればいずれでもよい。
【００４８】
また、前記防止具本体３は、必ずしも溝型鋼形状にする必要もなく、例えば図１２に示すように、左右の側板９を外側斜め下方に向けてテーパー状にしてもよく、これによれば、カバー４を用いない場合でも使用者がつまずくことを防止することができる。
【実施例２】
【００４９】
次に、本発明の自動販売機の転倒防止具の他の実施例について図１３を用いて説明すると、本実施例の自動販売機の転倒防止具では、基台プレートを用いて、この基台プレート上に前記左右側板９連設するとともに左右側板９を上板８で連通して防止具本体を構成した点を特徴としている。
【００５０】
即ち、図１３において１５が本実施例における防止具本体であり、本実施例における防止具本体１５では、基台プレート１６を有している。そして、この基台プレート１６は、全体を金属製とした略長方形状の平板状としている。
【００５１】
また、前記基台プレート１６は、長手方向に向いた一端側から所定長だけ、長手方向に向けてプレート側スライド溝１７を形成しており、このプレート側スライド溝１７は、基台プレート１５の一端側で開放とされるとともにその最奥部は閉じられ、その幅寸法は、前記台座６が嵌挿可能な寸法としている。
【００５２】
そして、プレート側スライド溝１７の長手方向に沿った両側には、上方に向けて左右側板９が連設されており、この左右側板９をその上端部分で連通する配置で、左右側板９には上板８が連設されている。
【００５３】
また、上板８には、両端が開放とされたスライド溝１０が長手方向に向けて形成されており、このスライド溝１０は、前記ボルト本体５が嵌挿可能な寸法とされている。なお、スライド溝１０は必ずしも両端を開放にする必要はなく、前述の実施例におけるスライド溝と同様に、一端側のみを開放として最奥部を閉鎖してもよい。
【００５４】
このように構成される本実施例における防止具本体１５では、プレート側スライド溝１７内にレベルボルト２の台座６を嵌挿しつつ、レベルボルト２のボルト本体５を上板８のスライド溝１０に所定長だけ嵌挿し、その後に締め付け具７を締め付けると、基台プレート１６における自動販売機の前方に突出した部分によって、自動販売機の前方への転倒を防止することが可能である。
【００５５】
このように、本実施例における転倒防止具では、基台プレート１６における自動販売機の前方に突出した部分によって自動販売機の前方の転倒を防止しているため、左右側板９及び上板８の長さ寸法を自動販売機の前後方向の寸法よりも長くする必要が無くなり、これにより、カバー４を用いない場合でも使用者がつまずいてしまうことを有効に防止することができる。
【００５６】
なお、本実施例の転倒防止具では、基台プレート１６を備えて防止具本体１５を構成した点を特徴としており、その他の点は前述の実施例における転倒防止具と同様であるので、重複した説明は省略するとともに、同一部分には同一符号を付した。
【００５７】
また、前述の実施例１の場合と同様に、前記左右側板９は、必ずしも、プレート側スライド溝１７の長手方向に沿った両側の全域に連設する必要はなく、一部分にのみ連設してもよい。
【産業上の利用可能性】
【００５８】
本発明の自動販売機の転倒防止具は、自動販売機の底部に螺合したレベルボルトに防止具本体を係止するのみでよいので、自動販売機、ショーケース等のレベルボルトを底部に螺合可能な機器の全般に適用可能である。
【図面の簡単な説明】
【００５９】
【図１】本発明の転倒防止具の実施例を示す斜視図である。
【図２】図１におけるＡ−Ａ線断面構造を示す図である。
【図３】本発明の転倒防止具の実施例におけるレベルボルトを説明するための図である。
【図４】本発明の転倒防止具の実施例における防止具本体を説明するための図である。
【図５】本発明の転倒防止具の実施例におけるカバーを説明するための図である。
【図６】本発明の転倒防止具の実施例におけるレベルボルトと防止具本体との関係を説明するための図である。
【図７】本発明の転倒防止具の実施例を自動販売機の本体キャビネットに装備する方法を説明するための図である。
【図８】本発明の転倒防止具の実施例を自動販売機の本体キャビネットに装備する方法を説明するための図である。
【図９】本発明の転倒防止具の実施例における締め付け具の他の形態を示す図である。
【図１０】本発明の転倒防止具の実施例における台座の他の形態を説明するための図である。
【図１１】本発明の転倒防止具の実施例における台座の他の形態を説明するための図である。
【図１２】本発明の転倒防止具の実施例における防止具本体の他の形態を説明するための図である。
【図１３】本発明の転倒防止具の実施例における防止具本体の他の形態を説明するための図である。
【符号の説明】
【００６０】
１    転倒防止具
２    レベルボルト
３、１５    防止具本体
４    カバー
５    ボルト本体
６    台座
７    締め付け具
８    上板
９    側板
１０    スライド溝
１１    上部カバー
１２    正面カバー
１３    側部カバー
１４    商品広告
１６    基台プレート
１７    プレート側スライド溝
１８    既存のレベルボルト
【図１】
2007272569.tif 000003
【図２】
2007272569.tif 000004
【図３】
2007272569.tif 000005
【図４】
2007272569.tif 000006
【図５】
2007272569.tif 000007
【図６】
2007272569.tif 000008
【図７】
2007272569.tif 000009
【図８】
2007272569.tif 000010
【図９】
2007272569.tif 000011
【図１０】
2007272569.tif 000012
【図１１】
2007272569.tif 000013
【図１２】
2007272569.tif 000014
【図１３】
2007272569.tif 000015